(57)【要約】【課題】自由に移動のストロークが調整できる自由式の楕円運動機を提供する。【解決手段】基部１０及び支持フレーム１１を備え、枢設軸１２は支持フレーム１１の後方部１３に設けられる。回転ホイール２０は枢設軸２１を経由し、回転体２２は枢設軸２３を経由して、支持フレーム１１の中間部１４に設けられ、他動ホイールは枢設軸２３に締め付けられ、連結ユニット２５で回転ホイール２０に連結される。一対のクランク３０は枢設軸２１に締め付けられ、自由端にシャフトロッド３１を有する。一対のハンドル４０は中間が枢設軸１２に接続され、それぞれ握り柄４２を有する。一対の足踏みロッド５０は前方をレバー５２でシャフトロッド３１に接続され、後方はレバー１９及び枢設軸１７で竪形ロッド１６に接続され、中間に足踏み板５６を枢設する。各ハンドル４０の底部４３はそれぞれレバー５７を経由して、足踏み板５６に接続される。【選択図】図１
0003138590.tif 000002
【実用新案登録請求の範囲】
【請求項１】
支持フレームを有する基部と、
前記支持フレームに設ける第一枢設軸と、
前記第一枢設軸に接続する一対のハンドルと、
第二枢設軸を経由して支持フレームに設けられ、第二枢設軸から離れた一端に一本のシャフトロッドを有する一対のクランクと、
前方部において一本の第一レバーでクランクのシャフトロッドに接続され、中間部がハンドルに接続される一対の足踏みロッドと、
を備えることを特徴とする楕円運動機。
【請求項２】
さらに、連動機構を備え、
前記ハンドル又は前記第一レバー又は前記足踏みロッドを一体に繋ぐことを特徴とする請求項１に記載の楕円運動機。
【請求項３】
さらに、足踏み板は、第三枢設軸を経由して、前記足踏みロッドの前記中間部に設けられ、第二レバーで、前記ハンドルの底部を足踏み板に接続することを特徴とする請求項１に記載の楕円運動機。
【考案の詳細な説明】
【技術分野】
【０００１】
本考案は自由式の楕円運動機に関する。
【背景技術】
【０００２】
従来の楕円運動機は、楕円運動機としてのみ使用可能であり、足踏み機としては使用できなかった。また、従来の楕円運動機は移動のストロークが固定で、調整できなかった。これにより、運動機としての機能がかなり制限されていた。
【考案の開示】
【考案が解決しようとする課題】
【０００３】
したがって、本考案の主な目的は、自由に移動のストロークが調整できる自由式の楕円運動機を提供することにある。
【課題を解決するための手段】
【０００４】
上記目的を達成するため、本考案に係る楕円運動機は、基部及び支持フレームを備え、第一枢設軸は支持フレームの後方部に設けられる。回転ホイールは第二枢設軸を経由し、回転体は枢設軸を経由して、支持フレームの中間部に設けられ、他動ホイールは枢設軸に締め付けられ、連結ユニットで回転ホイールに連結される。一対のクランクは第二枢設軸に締め付けられ、自由端にシャフトロッドを有する。一対のハンドルは中間が第一枢設軸に接続され、それぞれ握り柄を有する。一対の足踏みロッドは前方をレバーでシャフトロッドに接続され、後方はレバー及び枢設軸で竪形ロッドに接続され、中間に足踏み板を枢設する。各ハンドルの底部はそれぞれレバーを経由して、足踏み板に接続される。
【考案を実施するための最良の形態】
【０００５】
本考案の目的、特徴を遂げて、採用される技術手段及び効果などをご了解いただくために、以下、さらに具体的な実施形態を図面に基づいて詳しく説明する。
（一実施形態）
図１から図５に示すように、本考案の一実施形態による楕円運動機は基部１０及び支持フレーム１１を備える。枢設軸１２は支持フレーム１１の後方部１３に設けられる。回転ホイール２０は枢設軸２１を経由して、支持フレーム１１の中間部１４に設けられる。回転体２２は枢設軸２３を経由して、支持フレーム１１の中間部１４に取り付けられる。他動ホイール２４は枢設軸２３に締め付けられ、ベルトなど連結ユニット２５で、回転ホイール２０に連結される。これにより、回転ホイール２０と枢設軸２１とに抵抗力を与える。その他、電磁ブレーキやハイドロリックや気圧など抵抗力を与える装置も使って、回転ホイール２０と枢設軸２１とに抵抗力を与えてもよい。
【０００６】
一対のクランク３０は枢設軸２１に締め付けられ、それぞれ枢設軸２１から離れた一端に一本のシャフトロッド３１を有する。一対のハンドル４０は中間部４１が枢設軸１２に接続され、それぞれ握り柄４２を具有し、ユーザがそれを握る。一対の足踏みロッド５０は前方部５１をレバー５２によりクランク３０のシャフトロッド３１に接続される。その後方部５３はレバー１９及び枢設軸１７で、基部１０の後方部１５の竪形ロッド１６に接続され、それぞれ枢設軸５４を経由して、中間部５５に、足踏み板５６を枢設し、ユーザを支持することができる。各ハンドル４０の底部４３はそれぞれ別のレバー５７及びレバー５７の一端の枢設軸５８を経由して、足踏み板５６に接続される。これにより、足踏み板５６は適当な角度まで回る。
【０００７】
本実施形態の楕円運動機は、ユーザがハンドル４０を位置決めしておき、足踏みロッド５０又は足踏み板５４を踏むと、足踏み機の作用を発揮する。それに対して、ユーザがハンドル４０を振って踏みロッド５０又は足踏み板５４を踏むと、楕円運動機の作用を果たす。踏みロッド５０又は足踏み板５４を踏み、楕円運動機として作用するときは、楕円の大小はハンドル４０の振れ幅により決められる。
【０００８】
連動機構６０は、ハンドル４０、レバー５２、および足踏みロッド５０を一体に繋ぐ。それぞれ、一本の枢設軸６１を有し、支持フレーム１１に設けられる。二本のクランク６２は枢設軸６１に締め付けられ、それぞれ枢設軸６１から離れた一端にシャフトロッド６３が設置される。一対のレバー６４は一端６５をクランク６２のシャフトロッド６３に接続し、別端６６を枢設軸６７で、ハンドル４０の中間部４１に接続する。なお、枢設軸６７は枢設軸１２から離れた箇所に設置される。
【図面の簡単な説明】
【０００９】
【図１】本考案の一実施形態による楕円運動機を示す斜視図である。
【図２】本考案の一実施形態による楕円運動機を示す斜視図である。
【図３】本考案の一実施形態による楕円運動機を示す斜視図である。
【図４】本考案の一実施形態による楕円運動機を示す斜視図である。
【図５】本考案の一実施形態による楕円運動機を示す側面図である。
【図６】本考案の一実施形態による楕円運動機を示す側面図である。
【図７】本考案の一実施形態による楕円運動機を示す側面図である。
【図８】本考案の一実施形態による楕円運動機を示す側面図である。
【図９】本考案の一実施形態による楕円運動機を示す側面図である。
【符号の説明】
【００１０】
１０：基部、１１：支持フレーム、１２、２１、２３、２７、５８、６１、６７：枢設軸、１３、１５：後方部、１６：竪形ロッド、２０：回転ホイール、５１：前方部、２２：回転体、２４：他動ホイール、２５、２８：連結ユニット、２６：フライホイール、３０、６２：クランク、３１、６３：シャフトロッド、４０：ハンドル、５０：足踏みロッド、１４、４１、５５：中間部、４２：握り柄、４３：底部、５２、５７、６４：レバー、５６：足踏み板、６０：連動機構、６５：一端、６６：別端
【図１】
0003138590.tif 000003
【図２】
0003138590.tif 000004
【図３】
0003138590.tif 000005
【図４】
0003138590.tif 000006
【図５】
0003138590.tif 000007
【図６】
0003138590.tif 000008
【図７】
0003138590.tif 000009
【図８】
0003138590.tif 000010
【図９】
0003138590.tif 000011